(57)【特許請求の範囲】
【請求項１】
雨樋の吊金具を介して折板屋根の山部から吊下手段で下垂される雨樋取付構造であって、
前記吊下手段は垂直材と補強斜材から成り、前記垂直材は丸棒材で両端部に形成された雄ネジ部が前記吊金具と山部を貫通してそれぞれ一対のナットで固定され、
帯状板で形成される前記補強斜材の上端部に備える水平部は前記山部に沿ってその一端を前記垂直材の上端部よりも屋内側の離れた位置で前記補強斜材と連結し、他端が前記垂直材の上端部から前記一端と反対方向に離れた位置まで延設されるとともに、前記水平部に設けられる孔を介して前記垂直材と共に前記山部に固定され、
前記補強斜材の下端部に前記垂直材を保持する短円筒形状の保持部が設けられるとともに、
前記補強斜材の水平部が前記山部の内法と同じ幅で形成されることを特徴とする雨樋取付構造。
【請求項２】
請求項１に記載の雨樋取付構造であって、前記保持部は短円筒形状の全周の略１／４円弧領域を切欠いて形成されることを特徴とする雨樋取付構造。
【請求項３】
請求項１又は請求項２に記載の雨樋取付構造であって、前記補強斜材の前記水平部に設けられる孔は前記水平部の側面から前記垂直材を挿入するＵ字形孔であることを特徴とする雨樋取付構造。
【請求項４】
請求項１乃至請求項３のいずれか１項に記載の雨樋取付構造であって、前記保持部は上下二組設けられることを特徴とする雨樋取付構造。
【発明の詳細な説明】
【技術分野】
【０００１】
本発明は、建築物の折板屋根に取付けられる雨樋取付構造に関し、詳しくは、折板屋根から吊下げる大型雨樋が施工時や強風時に揺れないように安定させる雨樋取付構造に関する。
【背景技術】
【０００２】
従来、大型雨樋を折板屋根に取付ける方法として吊下手段を用いる構造が知られている。このような雨樋取付構造は例えば特許文献１に開示されている。
【０００３】
図９に示すように、特許文献１の雨樋取付構造３１は、下端部分に吊金具１が固着された垂直材２の上端部分を折板屋根３の山部４に固定するとともに吊金具１は補強斜材５で補強される。
【０００４】
補強斜材５は帯状材で形成され、補強斜材５の一端には略コ字型に折曲した係合部１０が形成され、この係合部１０を前記垂直材２の上端部分から離れた位置で折板屋根３の山部４の先端縁に蝶ネジ３２によって固定する。
【０００５】
補強斜材５の他端には補強斜材５の後端部分の側面に、合成樹脂で一体に形成された結合具６が軸ピン３３を介して枢着される。結合具６は上下に貫通し側方へ開口する側方開口８を持つ凹部７を備え、この凹部７をその側方開口８から前記垂直材２の中程部分に嵌着させる。
【０００６】
前記垂直材２が側方開口８から挿入されると、側方開口８は結合具６の弾性に抗して拡開するとともに、前記垂直材２が凹部７内に嵌着されると側方開口８は弾性復元力によって縮閉する。このため、前記垂直材２が凹部７内に嵌着された状態で、凹部７の内周面に前記垂直材２の雄ネジ９が形成された外周面が食い込むように係止される。
【０００７】
このように、前記垂直材２の中程部分と折板屋根３の前記垂直材２の上端部分から離れた位置との間に補強斜材５が架設固定されるため、前記垂直材２は略鉛直状となって振れを確実に防止することができる。
【０００８】
補強斜材５の結合具６に上下に貫通し側方へ開口した凹部７が形成されるので、施工時に、この凹部７をその側方開口８から垂直材２に嵌着することで補強斜材５を簡単に取付けることができる。また、補強斜材５の一端に略コ字型に折曲した係合部１０が形成されているので、係合部１０を折板屋根３の山部４の先端縁に係止させて簡単且つ確実に結合固定することができる。
【特許文献１】特開２００１−２７９８８７号公報
【発明の開示】
【発明が解決しようとする課題】
【０００９】
ところが、補強斜材５の一端に形成される係合部１０と蝶ネジ３２が必要になるので加工が複雑でコストアップに繋がるという問題があった。
【００１０】
そこで、本発明はかかる従来技術の問題に鑑みなされたものであって、簡単な構造で取付容易な吊下手段を用いて、施工時や強風時でも揺れにくく且つ変形し難い安定した雨樋取付構造を提供することを目的とする。
【課題を解決するための手段】
【００１１】
請求項１の発明は、雨樋の吊金具を介して折板屋根の山部から吊下手段で下垂される雨樋取付構造であって、前記吊下手段は垂直材と補強斜材から成り、前記垂直材は丸棒材で両端部に形成された雄ネジ部が前記吊金具と山部を貫通してそれぞれ一対のナットで固定され、帯状板で形成される前記補強斜材の上端部に備える水平部は前記山部に沿ってその一端を前記垂直材の上端部よりも屋内側の離れた位置で前記補強斜材と連結し、他端が前記垂直材の上端部から前記一端と反対方向に離れた位置まで延設されるとともに、前記水平部に設けられる孔を介して前記垂直材と共に前記山部に固定され、前記補強斜材の下端部に前記垂直材を保持する短円筒形状の保持部が設けられるとともに、前記補強斜材の水平部が前記山部の内法と同じ幅で形成されることを特徴としている。
【００１２】
請求項２の発明は、請求項１に記載の雨樋取付構造であって、前記保持部は短円筒形状の全周の略１／４円弧領域を切欠いて形成されることを特徴としている。
【００１３】
請求項３の発明は、請求項１又は請求項２に記載の雨樋取付構造であって、前記補強斜材の前記水平部に設けられる孔は前記水平部の側面から前記垂直材を挿入するＵ字形孔であることを特徴としている。
【００１５】
請求項４の発明は、請求項１乃至請求項３のいずれか１項に記載の雨樋取付構造であって、前記保持部は上下二組設けられることを特徴としている。
【発明の効果】
【００１６】
請求項１記載の発明によれば、雨樋の吊金具を介して折板屋根の山部から吊下手段で下垂される雨樋取付構造であって、前記吊下手段は垂直材と補強斜材から成り、前記垂直材は丸棒材で両端部に形成された雄ネジ部が前記吊金具と山部を貫通してそれぞれ一対のナットで固定され、帯状板で形成される前記補強斜材の上端部に備える水平部は前記山部に沿ってその一端を前記垂直材の上端部よりも屋内側の離れた位置で前記補強斜材と連結し、他端が前記垂直材の上端部から前記一端と反対方向に離れた位置まで延設されるとともに、前記水平部に設けられる孔を介して前記垂直材と共に前記山部に固定され、前記補強斜材の下端部に前記垂直材を保持する短円筒形状の保持部が設けられるので、雨樋に横方向に揺れる力が働いた場合でも前記補強斜材の水平部の一端又は他端が折板屋根に当接して実質的に二点支持されるため揺れを確実に止めることができる。このため、吊下手段は雨樋の横方向に対して施工時や強風時でも揺れにくく且つ変形しにくくなり確実に安定することができる。また、前記補強斜材の水平部が前記山部の内法と同じ幅で形成されるので、前記補強斜材の水平部を前記山部の内法に沿わせるだけで水平部を取付位置までガイドしてスライド合わせができるので取付作業が容易である。また、水平部を前記山部の内法によってガタつかないように保持できるので、雨樋の縦方向に対する前記垂直材の揺れを防止して安定させることができる。
【００１７】
また、前記水平部は帯状板で前記垂直材に保持されるための孔を備えるだけの簡単な構造なのでコストダウンができる。
【００１８】
請求項２記載の発明によれば、請求項１に記載の雨樋取付構造であって、前記保持部は短円筒形状の全周の略１／４円弧領域を切欠いて形成されるので、前記保持部を予め前記垂直材に挿入させておく必要がない。このため、前記垂直材を折板屋根に取付けた後で前記保持部の取付が可能なので取付簡単であるとともに、作業工程に柔軟性が生じるので作業性が向上する。
【００１９】
請求項３の発明は、請求項１又は請求項２に記載の雨樋取付構造であって、前記補強斜材の前記水平部に設けられる孔は前記水平部の側面から前記垂直材を挿入するＵ字形孔であるので、前記水平部を予め前記垂直材に挿入させておく必要がない。このため、前記垂直材を折板屋根に取付けた後で前記水平部の取付が可能なので請求項２の発明の効果と同様の効果が得られる。
【００２１】
請求項４記載の発明によれば、請求項１乃至請求項３のいずれか１項に記載の雨樋取付構造であって、前記保持部は上下二組設けるので前記保持部において前記垂直材を二点支持できる。前記保持部において前記垂直材を２点支持できる。このため、前記垂直材をさらに安定させることができる。
【発明を実施するための最良の形態】
【００２２】
＜雨樋取付構造の構成＞
以下に、本発明の第１の実施形態を図１〜図６に基づいて説明する。
【００２３】
図１、図２に示すように、本発明の雨樋取付構造１１は雨樋１２の吊金具１３を介して折板屋根１４の山部１４ａから吊下手段１５で下垂される雨樋取付構造である。
【００２４】
ここで、雨樋１２は断面凹形状で、上端部にそれぞれ屋外側雨樋吊部としての凹状の耳部１２ａと屋内側雨樋吊部としての凸状の耳部１２ｂとを備える。吊金具１３は中央部１３ｃが略水平で両端にかけて隆起し、両端部にフック状の耳保持部１３ａと耳保持部１３ｂが形成される。そして、雨樋１２は耳部１２ａと耳部１２ｂがそれぞれ吊金具１３の耳保持部１３ａと耳保持部１３ｂに保持された状態で吊下手段１５により折板屋根１４に下垂される。
【００２５】
吊下手段１５は垂直材１６と補強斜材１７から成り、垂直材１６は直径Ｒ＝９．５２５ｍｍ（ウイットネジＷ３／８）の全ネジ丸棒材で上端部１６ａと下端部１６ｂに形成された雄ネジ部１６ｃが吊金具１３の山部１４ａと中央部１３ｃを貫通し、それぞれ一対のナット１８で山部１４ａと吊金具１３に固定される。
【００２６】
ここで、山部１４ａの外側には垂直材１６が山部１４ａを貫通するための貫通孔１４ｃからの雨水の漏れを防止するとともに振動を吸収するためのパッキン１９が挿入される。
【００２７】
補強斜材１７は厚さ２ｍｍの帯状板で形成される。斜主部材１７eの上端部１７ａに備える水平部１７ｂは、山部１４ａに沿ってその一端１７ｃを垂直材１６の上端部１６ａから離れた位置で補強斜材１７の斜主部材１７eと連結し、他端１７ｄが垂直材１７の上端部１６ａから一端１７ｃと反対方向に離れた位置まで延設される。
【００２８】
そして、水平部１７ｂに設けられる孔２０は水平部１７ｂの側面１７ｈから垂直材１６を挿入できるようにＵ字形穴に形成される。この孔２０を介して水平部１７ｂは垂直材１６と共に山部１４ａに固定される。
【００２９】
斜主部材１７eの下端部１７ｆに連結する垂直部１７ｇに、垂直材１６のできるだけ下方部分を保持する二組の保持部２１が垂直材１６を囲む短円筒形状で設けられる。
【００３０】
図３、図４、図５、図６に示すように、補強斜材１７の形状は、水平部１７ｂの長さＬ１＝９４ｍｍ、垂直部１７ｇの長さＨ１＝４２ｍｍに形成される。また、水平部１７ｂと垂直部１７ｇとの垂直方向の間隔がＨ２＝７８ｍｍで、水平部１７ｂの他端１７ｄから孔２０の中心までの長さＬ２＝２５ｍｍ、一端１７ｃから孔２０の中心までの長さＬ３＝６９ｍｍである。
【００３１】
これにより、斜主部材１７eは垂直部１７ｇに対して角度β＝略４０度に形成される。孔２０は水平部１７ｂの中心に設けられる半径Ｒ２＝５ｍｍの半円と側面１７ｈから側面１７ｈと直角に幅Ｒ１＝１０ｍｍの線で結ぶＵ字形形状である。水平部１７ｂを含む帯状の補強斜材１７の幅は山部１４ａの内法と同じ幅Ｓ＝２５ｍｍで形成される。
【００３２】
保持部２１は円弧部２２とこの円弧部を固定するベース２３を備える。保持部２１の円弧部２２は高さＴ１＝１４ｍｍの短円筒形状で、全周の略１／４円弧領域を切欠いて二組形成され、その中間部にベース２３を挟んで一体的に連続形成される。上下方向の全長Ｔ＝４０ｍｍである。
【００３３】
円弧部２２の断面形状は内半径Ｇ１の円弧で開口部２１ｃを受入幅Ｇ２で備えるとともに、この開口部２１ｃは、さらに外側にカールする小弧状の受入ガイド部２１ｄを備えている。
【００３４】
ここで、円弧部２２は、中心Ｑ１に対して内半径Ｇ１＝３．９ｍｍで形成される、このため、直径Ｒ＝９．５２５ｍｍの垂直材１６を挿入した際に（Ｇ１ｘ２）＜Ｒであるため垂直材１６を確実に安定して保持することができる。なお、中心Ｑ１はベース２３の垂直二等分線上に位置するように配置される。
【００３５】
受入ガイド部２１ｄの受入幅Ｇ２＝５．９ｍｍは垂直材１６を離脱しないように保持するために、垂直材１６の直径Ｒ＝９．５２２ｍｍよりも狭く、Ｇ２＜Ｒの関係に形成される。また、受入ガイド部２１ｄの幅Ｇ３＝８．４ｍｍは受入幅Ｇ２より広く形成されるので、垂直材１６を容易に宛がって誘導することができる。（Ｇ３＞Ｇ２）
ベース２３は幅Ｓ１＝２０ｍｍで上下方向の長さがＴ２＝１０ｍｍで、上下の円弧部２２に対してＴ３≒１ｍｍの間隙で設けられる。ベース２３には２組の取付用の孔Ｑ２が設けられ、図示しないビス等で垂直部１７ｇに固着される。
【００３６】
吊下手段１５及び吊金具１３の材質は、強度を必要とするのでステンレスや亜鉛メッキをした金属等が用いられる。
【００３７】
＜雨樋取付構造の作用＞
上記のように、雨樋の横方向に揺れる力が働いた場合でも、補強斜材１７の水平部１７ｂの両端である一端１７ｃと他端１７ｄのどちらかが折板屋根１４に当接するので、吊下手段１５は折板屋根１４に実質的に２点支持される状態である。このため、吊下手段１５は雨樋の横方向に対して施工時や強風時でも揺れにくく且つ変形しにくくなり確実に安定する。また、構造が簡単なのでコストダウンができる。
【００３８】
水平部１７ｂの孔２０がＵ字形孔なのでは水平部１７ｂの側面１７ｈから垂直材１６に対して後付けで容易に挿入できて作業工程に柔軟性が生じるので作業性が向上する。
【００３９】
保持部２１は短円筒形状の全周の略１／４円弧領域を切欠いて形成されるので、保持部２１を予め垂直材１６に挿入させておく必要がないため、垂直材１６を折板屋根１４に取付けた後でも保持部２１の取付が可能なので取付けの利便性に優れ作業工程に柔軟性が生じるので作業性が向上する。
【００４０】
補強斜材１７の水平部１７ｂの幅が山部１４ａの内法と同じ幅Ｓ＝２５ｍｍで形成されるので、補強斜材１７の水平部１７ｂを山部１４ａの内法に沿わせるだけでスライドして水平部１７ｂを取付位置にあわせることができるので取付作業が容易にできる。また、山部１４ａの内法によってガタがないように保持されるので、雨樋１２の縦方向に対する吊下手段１５の揺れが防止できる。
【００４１】
このように、吊下手段１５が簡単な構造で製作できるのでコストダウンが計れ、さらに、取付け容易で、雨樋の横方向に対する揺れを確実に防止できるので、施工時や強風時でも揺れにくく且つ変形することを防止できる。
【００４２】
＜本発明の第２の実施形態＞
以下に、本発明の第２の実施形態を図７、図８に基づいて説明する。なお、図５、図６に示した保持部２１と同じ構成部分については、図面に同符号を付して重複した説明を省略する。
【００４３】
図７、図８に示すように、保持部２１ａは垂直材１６を囲む内直径Ｇ＝略１０ｍｍ、全長Ｔ＝４０ｍｍの短円筒形状部２２ａで、この短円筒形状部２２ａを固定するベース２３ａを備える。
【００４４】
この形状であれば、保持部２１ａは、短円筒形状の全周の略１／４円弧領域を切欠いて形成される第一の実施形態に比べて確実に強度が増すので吊下手段１５をさらに安定して固定することができる。この場合、垂直材１６を折板屋根１４に取付ける前に保持部２１ａを予め垂直材１６に嵌入しておく必要がある。
【００４５】
以上、本発明の実施形態を図面に基づいて説明したが、上記の実施例はいずれも本発明の一例を示したものであり、本発明はこれらに限定されるべきでないということは言うまでもない。
【００４６】
たとえば、保持部２１は上下二組設ける代わりに一組の保持部２１でも構わない。この場合、保持部２１の高さを少し高目にすると保持力が補えるので好ましい。水平部１７ｂの孔２０はＵ字形孔の代わりに水平部１７ｂの中心に設けられる円形孔でもよい。また、他の様々な断面形状を有する雨樋や吊金具に対しても上記実施例と同様の構成を実施することができる。
【図面の簡単な説明】
【００４７】
【図１】本発明の第１の実施形態における、雨樋取付構造１１の状態を示す一部透視斜視図である。
【図２】本発明の第１の実施形態における、図１のＡ−Ａ一部透視矢視図である。
【図３】本発明の第１の実施形態における、補強斜材１７の側面図である。
【図４】本発明の第１の実施形態における、図３のＢ−Ｂ矢視図である。
【図５】本発明の第１の実施形態における、図３のＣ−Ｃ矢視図である。
【図６】本発明の第１の実施形態における、図３のＤ−Ｄ矢視図である。
【図７】本発明の第２実施形態における、保持部２１ａの側面図である。
【図８】本発明の第２実施形態における、図７のＥ−Ｅ矢視図である。
【図９】従来の雨樋取付構造の状態を示す一部断面視側面図である。
【符号の説明】
【００４８】
１１  雨樋取付構造
１２  雨樋
１３  吊金具
１４  折板屋根
１４ａ  山部
１５  吊下手段
１６  垂直材
１６ａ  上端部
１６ｂ  下端部
１７  補強斜材
１７ａ  上端部
１７ｂ  水平部
１７ｃ  一端
１７ｄ  他端
１７e  斜主部材
２０  孔
２１  保持部
２２  円弧部
２３  ベース
【図１】
0004835200.tif 000002
【図２】
0004835200.tif 000003
【図３】
0004835200.tif 000004
【図４】
0004835200.tif 000005
【図５】
0004835200.tif 000006
【図６】
0004835200.tif 000007
【図７】
0004835200.tif 000008
【図８】
0004835200.tif 000009
【図９】
0004835200.tif 000010